(57)【要約】      （修正有）【課題】アッパーの製作工程を効果的に減らすことができる、エンボスを有するアッパーを提供する。【解決手段】アッパー１は、無地生地１０と、立体エンボス層２０とを備える。無地生地１０は、ホットメルト糸を含む通気性織物である。立体エンボス層２０は、冷圧装置を用いて無地生地１０上に冷圧して形成され、且つ無地生地１０の表面を部分的に覆う。その立体エンボス層２０は、エンボスを有するアッパー１上に所定模様又は補強構造として形成される。【選択図】図１
0003205375.tif 000002
【実用新案登録請求の範囲】
【請求項１】
エンボスを有するアッパーであって、無地生地と、立体エンボス層と、
を備え、
前記無地生地は、ホットメルト糸を含む通気性織物であり、
前記立体エンボス層は、冷圧装置を用いて前記無地生地上に冷圧して形成され、前記無地生地の表面を部分的に覆い、且つ前記立体エンボス層は、前記エンボスを有するアッパー上に所定模様又は補強構造として形成されることを特徴とする、エンボスを有するアッパー。
【請求項２】
前記エンボスを有するアッパーは、デジタル印刷方法で前記立体エンボス層又は前記無地生地上に設置される着色層をさらに備えることを特徴とする、請求項１に記載のエンボスを有するアッパー。
【請求項３】
前記着色層は、前記無地生地上に設けられた切断線で囲まれた範囲内に位置されることを特徴とする、請求項２に記載のエンボスを有するアッパー。
【請求項４】
前記エンボスを有するアッパーは、前記無地生地上に設けられた切断線に沿って切断されて形成されることを特徴とする、請求項１又は２に記載のエンボスを有するアッパー。
【請求項５】
前記立体エンボス層の形成において、前記無地生地の温度は、１５０〜１９０℃であることを特徴とする、請求項１に記載のエンボスを有するアッパー。
【請求項６】
前記立体エンボス層の形成において、加熱乾燥装置を用いて１００〜２００℃の温度で前記無地生地を１５０〜１９０℃まで加熱することを特徴とする、請求項１に記載のエンボスを有するアッパー。
【請求項７】
前記冷圧装置は、０〜２５℃の温度で前記無地生地を冷圧することを特徴とする、請求項６に記載のエンボスを有するアッパー。
【請求項８】
前記無地生地は、白い布であることを特徴とする、請求項１に記載のエンボスを有するアッパー。
【考案の詳細な説明】
【技術分野】
【０００１】
本考案はエンボスを有するアッパーに関し、特に、冷圧で立体エンボスが形成されたエンボスを有するアッパーに関するものである。
【背景技術】
【０００２】
ハイテク産業の発展に伴って、伝統産業に属する繊維産業は、強烈な競争及び転型の圧力に直面するので、高付加価値の新商品を開発するために紡織技術を向上及び整合し続ける必要がある。最近、織物製品は、外観性が要求されている他、快適性、保護性などの様々な機能がさらに要求されている。よって、機能性織物は現在の繊維産業に注目されている。
【０００３】
従来の製法で製作されたアッパーは、靴用部材に必要な物性、例えば、補強構造などの物性が満足できないので、製作の過程において、支持性を向上させるように補強区域でいくつかの補強片、例えば、プラスチック片を縫い合わせることが必要である。また、例えば、ＰＵ素材で製作されたアッパーは必要な物性を持っているが、変えて通気性が問題になる。
【０００４】
上述したように、本考案の考案者らは、産業上の利用を促進するために、業界で長年の経験に基づいて鋭意研究を行った末、エンボスを有するアッパーを創出した。
【考案の開示】
【考案が解決しようとする課題】
【０００５】
上記従来の問題点に鑑みて、本考案は、従来の問題を解決するため、エンボスを有するアッパーの提供を目的とする。
【課題を解決するための手段】
【０００６】
本考案の目的によって、無地生地と、立体エンボス層とを備えるエンボスを有するアッパーを提供する。無地生地は、ホットメルト糸を含む通気性織物である。立体エンボス層は、冷圧装置を用いて無地生地上に冷圧して形成され、無地生地の表面を部分的に覆う。立体エンボス層は、エンボスを有するアッパー上に所定模様又は補強構造として形成される。
【０００７】
より好ましいのは、エンボスを有するアッパーは、デジタル印刷方法で立体エンボス層又は無地生地上に設置される着色層をさらに備える。
【０００８】
より好ましいのは、着色層は、無地生地上に設けられた切断線で囲まれた範囲内に位置される。
【０００９】
より好ましいのは、エンボスを有するアッパーは、無地生地上に設けられた切断線に沿って切断されて形成される。
【００１０】
より好ましいのは、立体エンボス層の形成において、無地生地の温度は、１５０〜１９０℃である。
【００１１】
より好ましいのは、立体エンボス層の形成において、加熱乾燥装置を用いて１００〜２００℃の温度で無地生地を１５０〜１９０℃まで加熱する。
【００１２】
より好ましいのは、冷圧装置は、０〜２５℃の温度で前記無地生地を冷圧する。
【００１３】
より好ましいのは、無地生地は、白い布である。
【考案の効果】
【００１４】
本考案のエンボスを有するアッパーは、以下に示す複数の長所を有する。
【００１５】
（１）本考案に係るエンボスを有するアッパーは、通気性を有する無地生地上に冷圧で無地生地におけるホットメルト糸を溶融・硬化させて立体エンボス層を形成することにより、アッパー上に所定模様又は補強構造として形成することで、紡織で製作されたアッパーは靴用部材に必要な物性を有すると共に、通気性も兼ね備えることができる。
【００１６】
（２）本考案に係るエンボスを有するアッパーは、白色などの無地生地を用いて、デジタル印刷方法で着色層を立体エンボス層又は生地層に設置することで、アッパーの染色において水質汚染などの状況の発生が減少することができる。
【考案を実施するための最良の形態】
【００１７】
本考案をより完全に理解するために、本考案の技術特徴、内容と長所及びそれが達成できる作用効果については、添付図面を参照して、実施例の表現形式で以下のように詳細に説明される。しかし、図示された図面は、単に例示または明細書内容を補助する目的としたものであって、本考案の実施後の原寸に比例したものや精確に配置したものには何ら拘束されない。よって、図示された図面は、添付図面の比例と配置関係で解釈されてはならず、本考案を実際に実施する権利範囲に制限することを意図したものではないことについて先に説明しておきたい。
【００１８】
本考案の長所、特徴及び達成するための技術方法を理解するために、例示的な実施例及び図面を参照して詳細に説明する。なお、本考案は異なる形態で具現されることができ、ここに記載される実施例に限定するように解釈されるべきではない。むしろ、提供された実施例は、本開示が完全なものとなるように、また当業者に本考案の範囲を完全に伝えるために提供されるものである。よって、本考案は、添付の実用新案登録請求の範囲によって定義されるものである。
【００１９】
図１を参照し、図１は本考案に係るエンボスを有するアッパーの製品概略図である。図に示すように、本考案に係るエンボスを有するアッパー１は、無地生地１０と、立体エンボス層２０とを備える。より好ましい実施形態では、本考案に係るエンボスを有するアッパー１は、着色層３０をさらに備える。無地生地１０はホットメルト糸を含む通気性織物である。立体エンボス層２０は、実際の需要に応じて、無地生地１０上を部分的に覆うように設置される。着色層３０は、無地生地１０、立体エンボス層２０或いは両者の上に設置される。
【００２０】
図２及び図３を参照し、図２及び図３のそれぞれは本考案に係るエンボスを有するアッパーの第１概略図及び第２概略図である。第１概略図は、無地生地１０上に立体エンボス層２０が設置されることを示した。第２概略図は、無地生地１０上に立体エンボス層２０と着色層３０とが設置されることを示した。
【００２１】
実際の実施においては、より好ましい無地生地１０は未染色の生地（例えば、白色）であることで、無地生地１０の染色工程を省くと共に、水質汚染などの状況を防止することができる。無地生地１０は、経編機を用いてホットメルト糸と他の糸を織り上げられ、且つ切断線１１が設けられることにより、立体エンボス層２０の設置、或いは立体エンボス層２０及び着色層３０の設置が完了する場合、切断線１１に沿って切断してエンボスを有するアッパー１を形成することができる。立体エンボス層２０は、ホットメルト糸を溶融・硬化させるように冷圧装置を用いて冷圧して、無地生地１０上に形成された。使用者は、冷圧装置の圧板の所定配置を用いて無地生地１０上に立体エンボス層２０の形成予定区域を冷圧することにより、前記区域におけるホットメルト糸を溶融・硬化させて、立体エンボス層２０を無地生地１０上に形成することで、立体エンボス層２０は無地生地１０の表面を部分的に覆うことができる。上述の内容において、立体エンボス層２０は無地生地１０の表面を部分的に覆うことを説明したが、立体エンボス層２０はホットメルト糸を溶融・硬化させるように形成されたので、実際には、部分的な立体エンボス層２０が無地生地１０に混ぜ込まれることがあるため、上述した例に限定されない。
【００２２】
上述した所定配置は、アッパー上に形成されるＬＯＧＯ、マーク、柄などの所定模様、或いは、エンボスを有するアッパー１を靴用部材に形成した場合の支持性又は耐磨耗性などの物性を補強する区域、例えば、先芯、アイレットの縁、靴の後踵部などの区域に形成されるものである。即ち、立体エンボス層２０は、エンボスを有するアッパー１上に所定模様、補強構造或いはそれらの組合せとして形成される。
【００２３】
特筆すべきことは、立体エンボス層２０を形成する場合、まず加熱乾燥装置を用いて１００〜２００℃の熱風で無地生地１０を加熱することにより、無地生地１０を１５０〜１９０℃の温度となる。詳しく述べると、加熱乾燥装置は、１００〜１４９℃の熱風で無地生地１０を予熱し、さらに１５０〜２００℃の熱風で無地生地１０を１５０〜１９０℃の温度までに加熱することができる。そして、冷圧装置を用いて所定パラメータで無地生地１０を冷圧する。所定パラメータとは、例えば、冷圧装置の圧板が０〜２５℃の温度である場合、冷圧装置の圧板により無地生地１０を冷圧して立体エンボス層２０を形成する。
【００２４】
さらに特筆すべきことは、通気性を有する無地生地１０が経編機を用いてホットメルト糸と他の糸を織り上げられる場合、制御（例えば、組織模様に関する配置）の方式で無地生地１０上に立体エンボス層２０が設置される所望区域（例えば、所定模様、或いは補強構造の区域）におけるホットメルト糸の密度を他の区域の密度より高くすることで、立体エンボス層２０を容易に設置することができる。また、ホットメルト糸は、異融点の繊維糸であってもよい。繊維糸の芯糸と被覆層の融点が異なることにより、それぞれの機能を発揮することができる。その中、低い融点を有する外部被覆層は、糸編みの加工性を向上させる他、糸の染色堅ろう度をさらに向上させることができる。高い融点を有する芯糸は、エンボスを有するアッパー１に所望のストレッチ性を提供することにより、アッパーの全体の構造を向上させることができる。さらに、ホットメルト糸について述べると、ファゴティングの過程において結晶化度の違い又はコアスピニング（ｃｏｒｅ  ｓｐｉｎｎｉｎｇ）などの方式で内層と外層の融点の異なる同質の繊維糸を形成する。同質の繊維糸は近い物性を持つように同じ素材の糸を使用することによって、編み工程での工程パラメータ制御の複雑度を減らすことができる。そして、同じ素材の糸を使用することにより、余り生地のリサイクルも容易となり、再生利用率を向上させて、コストダウンできることで、エコと省エネルギーの目的も達成することができる。
【００２５】
一方、着色層３０は、デジタル印刷方法で無地生地１０又は立体エンボス層２０上に設置される。その中、着色層３０は切断線１１で囲まれた範囲内にしか位置されない。即ち、デジタル印刷はエンボスを有するアッパー１が形成される区域にしか着色できず、切断された廃棄部分が著色されないことで、著色の時間及び原料コストを節約すると共に、切断された廃棄材料のリサイクル、再生利用が可能であるので、原料コストの節約及びエコを実現することもできる。また、着色層３０は、異なる区域に異なる色をそれぞれ著色することができる。例えば、無地生地１０は、立体エンボス層２０を有しない区域上の着色層３０が青色又は黒色であり、所定模様である立体エンボス層２０上の着色層３０が赤色又は黄色であり、或いは補強構造である立体エンボス層２０上の着色層３０が白色又はアイボリー色であるなどが挙げられる。
【００２６】
上記説明したとおり、実際の実施においては、本考案に係るエンボスを有するアッパー１の製作過程は、（Ｓ１）経編機を用いてホットメルト糸と他の糸で通気性を有する無地生地１０を織り上げる工程と、（Ｓ２）無地生地１０におけるホットメルト糸を溶融・硬化させるように冷圧装置を用いて無地生地１０を冷圧することにより、無地生地１０上に立体エンボス層２０を形成する工程とを含む。さらに、着色を行わない場合、（Ｓ３）切断線１１に沿って立体エンボス層２０を有する無地生地１０を切断することにより、エンボスを有するアッパー１を得る工程を行うことができる。一方、着色を行う場合、上述した工程（Ｓ２）の後、（Ｓ４）デジタル印刷方法で着色層を立体エンボス層２０又は無地生地１０上に設置する工程を行って、そして（Ｓ５）切断線１１に沿って立体エンボス層２０及び着色層３０を有する無地生地１０を切断することにより、エンボスを有するアッパー１を得る工程を行うことができる。
【００２７】
本考案に係るエンボスを有するアッパーによれば、簡単な工程で生産能力及び商品の品質、例えば、通気性、支持性、耐磨耗性などを向上させることで、生産時間及び余り生地の無駄を大幅に減らすことができる。よって、生産者にとって、大幅なコストダウン及び利益の向上を実現すると共に、消費者にとって、安いのに高品質な靴類商品を購入することができる。
【００２８】
上述したものは、単に例示的なものであって、本考案を限定するためのものではない。本考案の範囲及び趣旨を逸脱することなく均等範囲内における変更及び修正は、いずれも添付の実用新案登録請求の範囲で扱うものとする。
【図面の簡単な説明】
【００２９】
【図１】本考案に係るエンボスを有するアッパーの製品概略図である。
【図２】本考案に係るエンボスを有するアッパーの第１概略図である。
【図３】本考案に係るエンボスを有するアッパーの第２概略図である。
【符号の説明】
【００３０】
１：エンボスを有するアッパー
１０：無地生地
１１：切断線
２０：立体エンボス層
３０：着色層
【図１】
0003205375.tif 000003
【図２】
0003205375.tif 000004
【図３】
0003205375.tif 000005